(57)【要約】【課題】衣類に付着した花粉を含む塵埃を除去し、除去した塵埃を回収することができる電気掃除機を提供する。【解決手段】電気掃除機１は、衣類Ｃを吊すことが可能な衣類掛部５と、衣類掛部５に吊される衣類Ｃの前側、および後ろ側それぞれに設けられ、衣類Ｃへ向けて空気を吹き付ける複数の吐出口６と、吐出口６よりも下方に設けられる空気の吸込口７と、衣類掛部５、吐出口６、および吸込口７を収容するカバー８と、を備えている。【選択図】  図１
2018086207.tif 000002
【特許請求の範囲】
【請求項１】
衣類を吊すことが可能な衣類掛部と、
前記衣類掛部に吊される前記衣類の前側、および後ろ側のそれぞれに設けられ、前記衣類へ向けて空気を吹き付ける複数の吐出口と、
前記吐出口よりも下方に設けられる空気の吸込口と、
前記衣類掛部、前記吐出口、および前記吸込口を収容するカバーと、を備える電気掃除機。
【請求項２】
前記複数の吐出口は、上下方向に複数設けられている請求項１に記載の電気掃除機。
【請求項３】
前記複数の吐出口のうち上方に配置されている前記吐出口から下方に配置されている前記吐出口へ順順に空気を送る切換機構を備える請求項２に記載の電気掃除機。
【請求項４】
既に空気を吐出させている前記吐出口は、空気の吐出を継続させる請求項３に記載の電気掃除機。
【請求項５】
前記複数の吐出口のうち前記衣類の前側の前記吐出口と前記衣類の後ろ側の前記吐出口とから交互に空気を吐出させる切換機構を備える請求項１から４のいずれか１項に記載の電気掃除機。
【請求項６】
前記複数の吐出口のうち前記衣類の前側の前記吐出口と前記衣類の後ろ側の前記吐出口とから交互に、かつ上方に配置されている前記吐出口から下方に配置されている前記吐出口へ順順に空気を吐出させる切換機構を備える請求項２に記載の電気掃除機。
【請求項７】
前記複数の吐出口は、水平方向よりも下方へ向けて空気を吐出させる請求項１から６のいずれか１項に記載の電気掃除機。
【請求項８】
前記複数の吐出口から吐出される空気の流速を変化させる請求項１から７のいずれか１項に記載の電気掃除機。
【請求項９】
前記複数の吐出口から空気を間欠的に吐出させる請求項８に記載の電気掃除機。
【発明の詳細な説明】
【技術分野】
【０００１】
本発明に係る実施形態は電気掃除機に関する。
【背景技術】
【０００２】
玄関近傍の壁の内部に設けられる花粉等除去装置が知られている。
【先行技術文献】
【特許文献】
【０００３】
【特許文献１】特開２００７−１１３８５２号公報
【発明の概要】
【発明が解決しようとする課題】
【０００４】
従来の花粉等除去装置は、住宅の玄関近傍であって、室内空間へ入る前の屋外空間に配置される。つまり、従来の花粉等除去装置は、室内空間に入ろうとする人に付着している花粉等を除去するためのものである。このような用途を前提としているため、従来の花粉等除去装置は、除去した花粉等を周囲に撒き散らしてしまう。
【０００５】
そこで、本発明は、衣類に付着した花粉を含む塵埃を除去し、除去した塵埃を回収することができる電気掃除機を提案する。
【課題を解決するための手段】
【０００６】
前記の課題を解決するため本発明の実施形態に係る電気掃除機は、衣類を吊すことが可能な衣類掛部と、前記衣類掛部に吊される前記衣類の前側、および後ろ側のそれぞれに設けられ、前記衣類へ向けて空気を吹き付ける複数の吐出口と、前記吐出口よりも下方に設けられる空気の吸込口と、前記衣類掛部、前記吐出口、および前記吸込口を収容するカバーと、を備えている。
【図面の簡単な説明】
【０００７】
【図１】本発明の実施形態に係る電気掃除機の斜視図。
【図２】本発明の実施形態に係る電気掃除機の正面図。
【図３】本発明の実施形態に係る電気掃除機の使用状態の一例を示す図。
【発明を実施するための形態】
【０００８】
以下、本発明に係る電気掃除機の実施形態について図１から図３を参照して説明する。
【０００９】
図１は、本発明の実施形態に係る電気掃除機の斜視図である。
【００１０】
図２は、本発明の実施形態に係る電気掃除機の正面図である。
【００１１】
図３は、本発明の実施形態に係る電気掃除機の側面図である。
【００１２】
図１から図３に示すように、本実施形態に係る電気掃除機１は、衣類Ｃに空気を吹き付けて衣類Ｃ付着した塵埃を除去し、除去した塵埃を回収して蓄積する。電気掃除機１は、衣類Ｃを吊すことが可能な衣類掛部５と、衣類掛部５に吊される衣類Ｃの前側、および後ろ側それぞれに設けられ、衣類Ｃへ向けて空気を吹き付ける複数の吐出口６と、吐出口６よりも下方に設けられる空気の吸込口７と、衣類掛部５、吐出口６、および吸込口７を収容するカバー８と、を備えている。
【００１３】
また、電気掃除機１は、吸込口７から吸い込まれる、塵埃を含んだ空気から塵埃を分離し、捕集する集塵部９と、集塵部９を介して吸込口７に負圧を生じさせる電動送風機１１と、集塵部９および電動送風機１１を収容するケース１２と、電動送風機１１の排気を吐出口６に導く立上風路部１３と、立上風路部１３に設けられて電動送風機１１の排気を複数の吐出口６のうち、１つ以上の吐出口６に分配する切換機構１５と、電動送風機１１および切換機構１５を制御する制御部１６と、を備えている。
【００１４】
衣類掛部５は、設置場所の地面に接地される一対の支柱部２１と、支柱部２１に支えられる梁部２２と、を備えている。梁部２２は、ハンガーＨを介して衣類Ｃを吊すことができる。一対の支柱部２１は、梁部２２のそれぞれの端部を支えている。支柱部２１は、門形、または井桁型のラーメン（骨組構造）である。
【００１５】
吐出口６は、梁部２２よりも下方に設けられている。吐出口６は、梁部２２に平行であり、かつ梁部２２よりも下方に設けられる複数の吐出風路管２３に設けられている。複数の吐出風路管２３は、梁部２２に吊される衣類Ｃを挟み、水平方向に一対ずつ、かつ高さ方向に複数列、例えば４列設けられている。吐出風路管２３は、梁部２２同様に一対の支柱部２１の間に架け渡されている。
【００１６】
なお、複数の吐出風路管２３のそれぞれを、より上方に配置されているものから順に前第一列吐出風路管２４ａ、後ろ第一列吐出風路管２４ｂ、前第二列吐出風路管２５ａ、後ろ第二列吐出風路管２５ｂ、前第三列吐出風路管２６ａ、後ろ第三列吐出風路管２６ｂ、前第四列吐出風路管２７ａ、後ろ第四列吐出風路管２７ｂ、と呼ぶ。
【００１７】
それぞれの吐出風路管２３は、その伸長方向に並ぶ複数の吐出口６を有している。つまり、複数の吐出口６は、衣類Ｃの左右方向に複数設けられ、かつ、衣類Ｃの上下方向に複数設けられている。複数の吐出口６は、実質的に水平方向へ向けて空気を吐出させる。
【００１８】
なお、複数の吐出口６は、水平方向よりも下方へ向けて空気を吐出させるものであっても良い。つまり、吐出口６から吐出される空気の流出方向は、俯角を有していても良い。この俯角は、０度より大きく、６０度以下の範囲が好ましい。
【００１９】
吸込口７は、吐出口６よりも下方、つまり前第四列吐出風路管２７ａ、後ろ第四列吐出風路管２７ｂよりも下方に配置されている。吸込口７には、吸込口７に向かって漏斗状に窄まる塵埃案内部２９が設けられている。塵埃案内部２９は、それよりも上側の空間と下側の空間とを隔離する隔壁である。塵埃案内部２９よりも上側の空間は、吐出口６から吐出される空気が流動する。塵埃案内部２９よりも下側の空間は、吐出口６から吐出される空気が積極的には流動しない。
【００２０】
カバー８は、衣類掛部５全体を覆う。カバー８は、衣類Ｃを出し入れするため、例えばジッパー（図示省略）で開閉可能な出入り口を有していることが好ましい。
【００２１】
集塵部９は、吸込口７に流体的に接続されている。集塵部９は、吸込口７からケース１２に流れ込む、塵埃を含んだ空気から塵埃を分離し、捕集し、蓄積する一方、塵埃が除去された清浄な空気を電動送風機１１へ送る。集塵部９は、遠心分離方式であっても良いし、濾過分離方式であっても良い。
【００２２】
電動送風機１１は、集塵部９から空気を吸い込んで負圧（吸込負圧）を発生させる。
【００２３】
ケース１２は、例えば直方体の箱体である。ケース１２の吸込側には、吸込口７に接続される集塵部９が収容されている。ケース１２の吐出側には、電動送風機１１が収容されている。
【００２４】
立上風路部１３は、電動送風機１１の排気をそれぞれの吐出風路管２３へ導く。立上風路部１３は、前第一列吐出風路管２４ａに接続される第一管３１ａ、後ろ第一列吐出風路管２４ｂに接続される第二管３１ｂ、前第二列吐出風路管２５ａに接続される第三管３２ａ、後ろ第二列吐出風路管２５ｂに接続される第四管３２ｂ、前第三列吐出風路管２６ａに接続される第五管３３ａ、後ろ第三列吐出風路管２６ｂに接続される第六管３３ｂ、前第四列吐出風路管２７ａに接続される第七管３４ａ、後ろ第四列吐出風路管２７ｂに接続される第八管３４ｂ、を含んでいる。
【００２５】
切換機構１５は、電動送風機１１と立上風路部１３とを中継している。切換機構１５は、立上風路部１３の第一管３１ａから第八管３４ｂそれぞれの風路を開閉させる第一弁（図示省略）から第八弁（図示省略）を備えている。
【００２６】
制御部１６は、ケース１２に収容されている。制御部１６は、電動送風機１１の排気に晒される箇所に配置されている。制御部は、マイクロプロセッサ（図示省略）、およびマイクロプロセッサが実行する各種演算プログラム、パラメータなどを記憶する記憶装置（図示省略）を備えている。
【００２７】
切換機構１５は、複数の吐出口６のうち上方に配置されている吐出口６から下方に配置されている吐出口６へ順順に空気を吐出させる。
【００２８】
例えば、切換機構１５は、先ず前第一列吐出風路管２４ａおよび後ろ第一列吐出風路管２４ｂの吐出口６から衣類Ｃに空気を吹き付け、次いで前第二列吐出風路管２５ａおよび後ろ第二列吐出風路管２５ｂから衣類Ｃに空気を吹き付け、次いで前第二列吐出風路管２５ａおよび後ろ第二列吐出風路管２５ｂから衣類Ｃに空気を吹き付け、次いで前第三列吐出風路管２６ａおよび後ろ第三列吐出風路管２６ｂから衣類Ｃに空気を吹き付け、次いで前第四列吐出風路管２７ａおよび後ろ第四列吐出風路管２７ｂから衣類Ｃに空気を吹き付ける。電気掃除機１は、このような順序で衣類Ｃに空気を吹き付けることによって、衣類Ｃの上側から下側へ向かって順順に塵埃を吹き飛ばす。
【００２９】
また、切換機構１５は、複数の吐出口６のうち衣類Ｃの前側の吐出口６と衣類Ｃの後ろ側の吐出口６とから交互に、かつ上方に配置されている吐出口６から下方に配置されている吐出口６へ順順に空気を吐出させる。この吐出方法には、大きく２つの吐出方法が含まれている。一方は、同じ高さの吐出口６のうち、衣類Ｃの前側の吐出口６と後ろ側の吐出口６とから交互に空気を吐出させる。他方は、異なる高さの吐出口６を組み合わせて、衣類Ｃの前側の吐出口６と後ろ側の吐出口６とから交互に空気を吐出させる。
【００３０】
例えば、切換機構１５は、先ず前第一列吐出風路管２４ａから衣類Ｃに空気を吹き付け、次いで後ろ第一列吐出風路管２４ｂの吐出口６から衣類Ｃに空気を吹き付け、次いで前第二列吐出風路管２５ａから衣類Ｃに空気を吹き付け、次いで後ろ第二列吐出風路管２５ｂから衣類Ｃに空気を吹き付け、次いで前第二列吐出風路管２５ａから衣類Ｃに空気を吹き付け、次いで後ろ第二列吐出風路管２５ｂから衣類Ｃに空気を吹き付け、次いで前第三列吐出風路管２６ａから衣類Ｃに空気を吹き付け、次いで後ろ第三列吐出風路管２６ｂから衣類Ｃに空気を吹き付け、次いで前第四列吐出風路管２７ａから衣類Ｃに空気を吹き付け、次いで後ろ第四列吐出風路管２７ｂから衣類Ｃに空気を吹き付ける。
【００３１】
また、例えば、切換機構１５は、先ず前第一列吐出風路管２４ａから衣類Ｃに空気を吹き付け、次いで後ろ第二列吐出風路管２５ｂから衣類Ｃに空気を吹き付け、次いで前第二列吐出風路管２５ａから衣類Ｃに空気を吹き付け、次いで後ろ第三列吐出風路管２６ｂから衣類Ｃに空気を吹き付け、次いで前第四列吐出風路管２７ａから衣類Ｃに空気を吹き付ける。また、切換機構１５は、後ろ第一列吐出風路管２４ｂの吐出口６から衣類Ｃに空気を吹き付け、次いで前第二列吐出風路管２５ａから衣類Ｃに空気を吹き付け、次いで後ろ第二列吐出風路管２５ｂから衣類Ｃに空気を吹き付け、次いで前第三列吐出風路管２６ａから衣類Ｃに空気を吹き付け、次いで後ろ第四列吐出風路管２７ｂから衣類Ｃに空気を吹き付ける。切換機構１５は、これら２つの吐出方法を、時間差を設けて組み合わせても良い。切換機構１５は、これら２つのいずれか一方の吐出方法を終えた後、他方の吐出方法を実行しても良い。
【００３２】
さらに、切換機構１５は、複数の吐出口６のうち衣類Ｃの前側の全ての吐出口６と衣類Ｃの後ろ側の全ての吐出口６とから交互に空気を吐出させる。
【００３３】
例えば、切換機構１５は、先ず前第一列吐出風路管２４ａ、前第二列吐出風路管２５ａ、前第三列吐出風路管２６ａ、および前第四列吐出風路管２７ａから衣類Ｃに空気を吹き付け、次いで、後ろ第一列吐出風路管２４ｂ、後ろ第二列吐出風路管２５ｂ、後ろ第三列吐出風路管２６ｂ、および後ろ第四列吐出風路管２７ｂから衣類Ｃに空気を吹き付ける。電気掃除機１は、このような順序で衣類Ｃに空気を吹き付けることによって、衣類Ｃを前後に揺さぶって塵埃を吹き飛ばす。
【００３４】
さらにまた、切換機構１５は、複数の吐出口６のうち衣類Ｃの前側の吐出口６、衣類Ｃの後ろ側の吐出口６、上方の吐出口６、下方の吐出口６を、任意に組み合わせて空気を吐出させる。
【００３５】
例えば、切換機構１５は、複数の吐出口６を、前第一列吐出風路管２４ａおよび前第三列吐出風路管２６ａの組み合わせ、前第二列吐出風路管２５ａおよび前第四列吐出風路管２７ａの組み合わせ、後ろ第一列吐出風路管２４ｂおよび後ろ第三列吐出風路管２６ｂの組み合わせ、後ろ第二列吐出風路管２５ｂおよび後ろ第四列吐出風路管２７ｂの組み合わせ、の４つの組み合わせにわけ、それぞれを上下、前後で交互に切り替えて衣類Ｃに空気を吹き付ける。
【００３６】
電気掃除機１は、このような順序で衣類Ｃに空気を吹き付けることによって、衣類Ｃの上側から下側へ向かって、かつ衣類Ｃを前後方向へ揺さぶって順順に塵埃を吹き飛ばす。
【００３７】
また、切換機構１５は、既に空気を吐出させている吐出口６における空気の吐出を継続させる。電気掃除機１は、このような順序で衣類Ｃに空気を吹き付けることによって、衣類から吹き飛ばされた塵埃を吸込口７のある下方へと順順に導く。
【００３８】
これら切換機構１５の動作は、制御部１６によって制御される。
【００３９】
電動送風機１１は、複数の吐出口６から吐出される空気の流速を変化させる。
【００４０】
例えば、電動送風機１１は、その吐出風量を正弦波状、矩形状、スパイク状などに変動させる。電気掃除機１は、流速の変化する空気を衣類Ｃに吹き付けることによって、衣類Ｃを叩くように揺らし、衣類Ｃに付着する塵埃を吹き飛ばす。
【００４１】
電動送風機１１は、複数の吐出口６から間欠的に、あるいは断続的に空気を吐出させる。
【００４２】
例えば、電動送風機１１は、その吐出風量を正弦波状、矩形状、スパイク状などに変動させる際、一時的に流速をゼロにする。電気掃除機１は、流速がゼロまで変化する空気を衣類Ｃに吹き付けることによって、衣類Ｃをより強く叩くように大きく揺らし、衣類Ｃに付着する塵埃をより強く吹き飛ばす。
【００４３】
これら電動送風機１１の動作は、制御部１６によって制御される。また、空気の流速の変化、および空気の流れの停止と開始とは、切換機構１５の弁（第一弁から第八弁）の開閉によって行っても良い。このため、切換機構１５の弁（第一弁から第八弁）は、ＯＮ／ＯＦＦ弁（開閉弁）ではなく、流量調整弁であっても良い。
【００４４】
本実施形態に係る電気掃除機１は、衣類Ｃの前側、および後ろ側それぞれに設けられ、衣類Ｃへ向けて空気を吹き付ける複数の吐出口６と、吐出口６よりも下方に設けられる空気の吸込口７と、カバー８と、を備えている。そのため、電気掃除機１は、衣類Ｃに付着した花粉のような塵埃を除去し、かつ周囲に巻き散らばらせることなく、塵埃を回収できる。
【００４５】
また、本実施形態に係る電気掃除機１は、上下方向に設けられる複数の吐出口６を備えている。そのため、電気掃除機１は、衣類Ｃの丈全体に渡って塵埃を除去できる。
【００４６】
さらに、本実施形態に係る電気掃除機１は、複数の吐出口６のうち上方に配置されている吐出口６から下方に配置されている吐出口６へ順順に空気を吐出させる切換機構１５を備えている。電気掃除機１は、衣類Ｃから塵埃を徐々に除去しつつ、衣類Ｃから除去された塵埃を吸込口７から確実に吸込み、回収できる。そのため、電気掃除機１は、衣類Ｃから除去された塵埃の再付着を防ぐ。
【００４７】
さらにまた、本実施形態に係る電気掃除機１は、既に空気を吐出させている吐出口６から継続的に空気を吐出させる。そのため、電気掃除機１は、衣類Ｃから塵埃を徐々に除去しつつ、衣類Ｃから除去された塵埃を上方へ舞い上がらせることなく吸込口７へ誘導し、吸込口７からより確実に吸込み、回収できる。
【００４８】
また、本実施形態に係る電気掃除機１は、複数の吐出口６のうち衣類Ｃの前側の吐出口６と衣類Ｃの後ろ側の吐出口６とから交互に空気を吐出させる切換機構１５を備えている。そのため、電気掃除機１は、衣類Ｃを前後方向へ揺さぶって塵埃を吹き飛ばし、衣類Ｃに付着した塵埃をより確実に除去し、回収できる。また、電気掃除機１は、例えば衣類Ｃの袖と前身頃との重なりや、スーツの上前と下前との重なりのような部位の塵を確実に除去する。
【００４９】
さらに、本実施形態に係る電気掃除機１は、複数の吐出口６のうち衣類Ｃの前側の吐出口６と衣類Ｃの後ろ側の吐出口６とから交互に、かつ上方に配置されている吐出口６から下方に配置されている吐出口６へ順順に空気を吐出させる切換機構１５を備えている。そのため、電気掃除機１は、衣類Ｃの上側から下側へ向かって、かつ衣類Ｃを前後方向へ揺さぶって塵埃を吹き飛ばし、衣類Ｃに付着した塵埃をより確実に除去し、回収できる。
【００５０】
さらにまた、本実施形態に係る電気掃除機１は、水平方向よりも下方へ向けて空気を吐出させる吐出口６を備えている。そのため、電気掃除機１は、衣類Ｃから除去された塵埃を吸込口７へ誘導し、吸込口７からより確実に吸込み、回収できる。
【００５１】
また、本実施形態に係る電気掃除機１は、吐出口６から吐出される空気の流速を変化させる。そのため、電気掃除機１は、衣類Ｃを叩くように揺らし、衣類Ｃに付着する塵埃を吹き飛ばすことができる。
【００５２】
さらに、本実施形態に係る電気掃除機１は、吐出口６から吐出される空気を一時的に停止させる。そのため、電気掃除機１は、衣類Ｃをより強く叩くように揺らし、衣類Ｃに付着する塵埃をより強く吹き飛ばすことができる。
【００５３】
したがって、本実施形態に係る電気掃除機１によれば、衣類Ｃに付着した花粉を含む塵埃を除去し、除去した塵埃を回収することができる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１…電気掃除機、５…衣類掛部、６…吐出口、７…吸込口、８…カバー、９…集塵部、１１…電動送風機、１２…ケース、１３…立上風路部、１５…切換機構、１６…制御部、２１…支柱部、２２…梁部、２３…吐出風路管、２４ａ…前第一列吐出風路管、２４ｂ…後ろ第一列吐出風路管、２５ａ…前第二列吐出風路管、２５ｂ…後ろ第二列吐出風路管、２６ａ…前第三列吐出風路管、２６ｂ…後ろ第三列吐出風路管、２７ａ…前第四列吐出風路管、２７ｂ…後ろ第四列吐出風路管、２９…塵埃案内部、３１ａ…第一管、３１ｂ…第二管、３２ａ…第三管、３２ｂ…第四管、３３ａ…第五管、３３ｂ…第六管、３４ａ…第七管、３４ｂ…第八管。
【図１】
2018086207.tif 000003
【図２】
2018086207.tif 000004
【図３】
2018086207.tif 000005